(57)【特許請求の範囲】
【請求項１】
光信号を入力し、該光信号をアナログの電気信号に変換し、該アナログ信号をデジタル情報に変換し、出力する入力手段と、
前記入力手段から出力されるデジタル情報に映像情報生成の為の処理を施す信号処理手段と、
前記信号処理手段から出力される映像情報を圧縮する圧縮手段と、
前記圧縮手段から出力される圧縮映像情報を蓄積する蓄積手段と、
前記蓄積手段から出力される圧縮映像情報を着脱可能な記録媒体に記録再生する記録再生手段と、
前記記録再生手段により前記記録媒体から再生された圧縮映像情報を伸長する伸長手段と、
前記伸長手段で伸長された映像情報を表示する表示手段と、
電源の投入後あるいは前記記録媒体の装着後に、前記記録再生手段が前記記録媒体に圧縮映像情報を記録できる状態にする認識処理を行なう認識処理手段と、
電源が断たれた状態でも、前記認識処理手段により行われた前記認識処理で得た前記記録媒体に関する情報であって、少なくとも前記記録媒体の種別を示す情報、前記記録媒体に対して記録禁止の設定がなされていることを示す情報および前記記録媒体の記録残量を示す情報を含む前記記録媒体に関する情報を保持する保持手段と、
記録媒体が装着されたまま、電源が断たれてから再度電源が投入された場合、前記保持手段に保持された前記記録媒体に関する情報に基づいて、前記記録媒体に圧縮映像情報の記録が可能か否かを判断する判断手段とを備え、
前記判断手段が前記記録媒体に圧縮映像情報の記録が可能と判断した場合には、前記認識処理を行ないながら前記蓄積手段に圧縮映像情報を蓄積し、前記判断手段が前記記録媒体に情報の記録が不可能と判断した場合には、前記蓄積手段に圧縮映像情報を蓄積せず、前記映像情報の記録ができない旨を前記表示手段に表示し、
前記記録媒体が再生専用の記録媒体である場合には、前記記録媒体の種別を示す情報に基づいて、前記記録媒体に圧縮映像情報の記録が可能か否かを判断すること
を特徴とするカメラ。
【請求項２】
請求項１において、
前記記録媒体が再生専用の記録媒体である場合、前記記録媒体に対する情報の記録禁止の設定がなされている場合、または前記記録媒体の記録残量が所定量より少ない場合には、前記記録媒体に前記映像情報の記録ができない旨を前記表示手段に表示することを特徴とするカメラ。
【請求項３】
請求項１または２において、
前記記録媒体が再生専用の記録媒体である場合、前記記録媒体に対する情報の記録禁止の設定がなされている場合、または前記記録媒体の記録残量が所定量より少ない場合には、前記記録媒体とは別の記録媒体を装着する旨を表示手段に表示させることを特徴とするカメラ。
【請求項４】
請求項１ないし３のいずれかにおいて、
前記認識処理が完了した後、前記蓄積手段に蓄積されている圧縮映像情報を前記記録媒体に記録することを特徴とするカメラ。
【請求項５】
請求項１ないし４のいずれかにおいて、
前記記録媒体が再生専用の記録媒体である場合、前記記録媒体に対する情報の記録禁止の設定がなされている場合、または前記記録媒体の記録残量が所定量より少ない場合には、前記蓄積手段に圧縮映像情報の蓄積を行わないことを特徴とするカメラ。
【請求項６】
請求項１ないし５のいずれかにおいて、
前記蓄積手段に蓄積できる情報の蓄積量に相当する時間を経過しても前記認識処理が完了しなかった場合には、前記認識処理が完了するまで、前記蓄積手段への圧縮映像情報の蓄積を一時的に停止することを特徴とするカメラ。
【請求項７】
請求項１ないし６のいずれかにおいて、
前記判断手段は、前記記録媒体が装着されたまま電源が断たれる前に、前記保持手段に保持された前記記録媒体に関する情報に基づいて前記記録媒体に圧縮映像情報の記録が可能か否かを判断することを特徴とするカメラ。
【発明の詳細な説明】
【技術分野】
【０００１】
本発明は、記録媒体に情報を記録する技術に関し、特に、書換え型記録媒体、または、
追記型記録媒体のように、電源の投入後あるいは記録媒体の装着後、記録媒体に情報の記
録ができる状態にする認識処理を行ってから記録媒体に情報を記録する技術に関するもの
である。
【背景技術】
【０００２】
書換え型記録媒体の一つであるＤＶＤ−ＲＡＭ(Digital Versatile Disc-Random Acces
s Memory)、もしくは追記型記録媒体の一つであるＤＶＤ−Ｒ(Digital Versatile Disc-R
ecordable)のような光ディスクを記録媒体とした情報記録装置では、電源投入後あるいは
記録媒体の装着後に、ディスクの判別、ファイルシステムのチェック、フォーカス制御、
トラッキング制御といったサーボ制御、いわゆる試し書きによるレーザパワーの学習とい
った記録媒体に情報を記録できる状態にする認識処理を行う。
【０００３】
もし認識処理を行うことなく記録媒体に情報の記録を行おうとすると、認識処理を行っ
た結果、情報記録装置に装着されている記録媒体が情報の記録ができない再生専用の記録
媒体であったとしても、情報の記録を行うことになりかねない。また、認識処理を行った
結果、情報記録装置に装着されている記録媒体が書換えあるいは追記ができる記録媒体で
あったとしても、情報の記録禁止の設定がなされた記録媒体であった場合には、同様の問
題が生じかねない。また、認識処理を行った結果、記録媒体が書換えあるいは追記ができ
る記録媒体であり、情報の記録禁止の設定がなされていなかったとしても、記録媒体の記
録残量が記録しようとする情報量より少ない場合には、やはり同様の問題が生じかねない
。
【０００４】
このように情報の記録ができない記録媒体に無理やり情報を記録しようとすると、最悪
の場合、記録媒体に既に記録されている情報の破損にもつながりかねない。従って、従来
は、情報記録装置による記録媒体の認識処理が完了するまで情報の記録を行うことができ
ないようにしていた。
【０００５】
認識処理の時間は、情報記録装置の性能や、それを制御するソフトウエアによって多少
変動するが、大抵は数十秒かかる。従って、数十秒も待たされると、ユーザが記録してお
きたい情報を記録できない場合がある。たとえそれが７，８秒であったとしても、記録時
のもどかしさが消えることはないであろう。
【０００６】
例えば、情報記録装置がカメラ、ビデオカメラといった可搬型の情報記録装置である場
合には、電源であるバッテリーの消耗を避ける為に、情報を記録するとき以外には電源を
断っている場合が多い。しかし、ユーザが記録したいと思った時に、電源を投入してから
記録開始迄に７，８秒あるいは数十秒も待たされては、記録するタイミングを逸してしま
う可能性がある。
【０００７】
認識処理を行っている間の情報についても記録媒体に記録できるようにする手段の１つ
として、電源投入後、記録媒体に情報が記録できる状態になるまでの間の情報について一
旦メモリに書き込んでおき、記録媒体に記録可能となった後、情報をメモリから記録媒体
に転送して記録する技術が特開平０８−１２５９６１号公報に開示されている。
【０００８】
【特許文献１】特開平０８−１２５９６１号公報
【発明の開示】
【発明が解決しようとする課題】
【０００９】
しかし、上記公報記載の従来技術では、記録媒体に情報を記録できるかどうか認識する
ことがないため、情報記録装置に装着されている記録媒体が再生専用、記録禁止、あるい
は記録残量の足りない記録媒体であったとしても、記録媒体に情報の記録を行おうとして
しまう。従って、メモリに情報を蓄積することはできても、その情報が記録媒体に記録さ
れるとは限らず、認識処理を行っている間の情報についても記録媒体に記録できるように
する構成としては不十分である。
【００１０】
本発明の目的は、電源投入後記録媒体に情報が記録できる状態になるまでの間の情報に
ついても記録媒体に記録することができる記録技術を提供することにある。
【課題を解決するための手段】
【００１１】
上記課題を達成するため、本発明では、電源が断たれた状態でも記録媒体に関する情報
を保持するようにし、保持されている記録媒体に関する情報に基づいて、記録媒体に情報
の記録が可能か否かを判断する。記録媒体に情報の記録が可能と判断した場合には、認識
処理を行いながら蓄積手段に情報を蓄積させるようにする。
【００１２】
保持されている記録媒体に関する情報は、記録媒体に記録されている記録媒体に関する
情報より早く読み出せるので、認識処理の完了を待たずに記録媒体に情報の記録ができる
か否かを判断できる。従って、電源投入後記録媒体に情報が記録できる状態になるまでの
間の情報についても記録媒体に記録することができる。
【発明の効果】
【００１３】
本発明によれば、電源投入後記録媒体に情報が記録できる状態になるまでの間の情報に
ついても記録媒体に記録することができる。
【発明を実施するための最良の形態】
【００１４】
本発明を適用した実施形態について説明する。本実施形態では、情報記録装置が、撮像
した静止画あるいは動画をＤＶＤ−ＲＡＭディスクやＤＶＤ−Ｒディスクといったディス
ク状記録媒体に記録するビデオカメラ、あるいはＴＶ番組等をディスク状記録媒体に記録
するビデオレコーダーであるものとして説明する。ただし、本発明の適用対象がビデオカ
メラ、ビデオレコーダーに限られることはなく、電源の投入後あるいは記録媒体の装着後
、記録媒体に情報の記録ができる状態にする認識処理を行ってから記録媒体に情報を記録
する情報記録装置であれば全て本発明の適用対象となることは言うまでもない。
【００１５】
図１は、本発明を適用した情報記録装置１のブロック図である。
ユーザは、操作部１００により、記録開始、記録停止といった操作を行うことができる
。入力部１０１では、ＣＣＤ(Charge Coupled Device)により光信号をアナログの電気信
号に変換し、このアナログ信号をＡ／Ｄ変換器でデジタル情報に変換し、出力する。なお
、情報記録装置１がビデオレコーダーである場合には、入力部１０１からＴＶ番組等のデ
ジタル情報が出力される。ＤＳＰ１０２は、情報記録時には、入力部１０１から出力され
たデジタル情報を、ＤＶＤビデオレコーディング規格やＤＶＤビデオ規格といったフォー
マットに対応する映像情報に変換する。また、ＤＳＰ１０２は、情報再生時には、Ｅｎｃ
ｏｄｅｒ／Ｄｅｃｏｄｅｒ１０３で伸長された伸長情報をＴＶの放送方式の１つであるＮ
ＴＳＣなどのフォーマットに対応する映像情報に変換する。Ｅｎｃｏｄｅｒ／Ｄｅｃｏｄ
ｅｒ１０３は、情報記録時には、ＤＳＰ１０２で変換された映像情報に対してＭＰＥＧ(M
oving Picture Expert Group)圧縮してストリームを生成し、情報再生時には、記録媒体
１０７から読み取ったストリームを伸長する。
【００１６】
情報記録装置１全体の制御は、マイコン１０４が行う。また、マイコン１０４は、情報
記録装置１に装着された記録媒体１０７に情報の記録ができるか否かを判別する。マイコ
ン１０４は、必要に応じて、Ｅｎｃｏｄｅｒ／Ｄｅｃｏｄｅｒ１０３で圧縮したストリー
ムに対して規格に準拠したパケット化も行う。本実施形態では、ＤＶＤビデオレコーディ
ング規格やＤＶＤビデオ規格に準拠するものとする。
【００１７】
ＥＥＰＲＯＭ１０５は、電源を断ったとしても記憶した情報を保持できる保持手段とし
て機能する。電源を断ったとしても記憶した情報を保持できるのであればＥＥＰＲＯＭ以
外のメモリに代替可能であることは言うまでもない。このＥＥＰＲＯＭ１０５には、記録
媒体１０７に関する情報が保持される。なお、記録媒体１０７に関する情報には、（１）
記録媒体１０７は記録可能な記録媒体か？（２）記録媒体１０７に書き込み禁止の設定が
なされているか？（３）記録媒体１０７に対して情報の読み書きができる状態か？（４）
記録媒体１０７の記録残量はいくつか？といった情報のうち少なくとも１つが含まれる。
【００１８】
メモリ１０６には、Ｅｎｃｏｄｅｒ／Ｄｅｃｏｄｅｒ１０３で圧縮したストリーム、あ
るいはマイコン１０４でパケット化したストリームが記憶される。なお、情報を圧縮して
記録したり、圧縮された情報を再生する必要がない場合には、Ｅｎｃｏｄｅｒ／Ｄｅｃｏ
ｄｅｒ１０３は不要であり、Ｅｎｃｏｄｅｒ／Ｄｅｃｏｄｅｒ１０３で圧縮したストリー
ムではなく、ＤＳＰ１０２で変換された映像情報がメモリ１０６に記憶されることになる
。記録媒体１０７は、ＤＶＤ−ＲＡＭやＤＶＤ−Ｒといったディスク状記録媒体である。
【００１９】
次に、図１を用いて、情報を記録する場合の情報記録装置１の動作を説明する。
ユーザは、操作部１００を操作して記録の指示を行うことができる。操作部１００から
記録の指示があると、マイコン１０４は、認識処理により得られる記録媒体１０７に関す
る情報、または、ＥＥＰＲＯＭ１０５に保持されている記録媒体１０７に関する情報に基
づいて、記録が可能であると判断した場合には、情報の記録を行うように情報記録装置１
全体を制御する。
【００２０】
入力部１０１から出力されたデジタル情報は、ＤＳＰ１０２で輝度信号や、色差信号へ
の分割といった様々な映像情報生成の為の処理が施され、またＭＰＥＧに圧縮する為のフ
ォーマット変換が行われる。Ｅｎｃｏｄｅｒ／Ｄｅｃｏｄｅｒ１０３では、ＤＳＰ１０２
が出力した映像情報に対してＭＰＥＧ圧縮を行って、ストリームを生成する。また、図示
していないが、マイクや、外部入力端子から音声情報も平行してＥｎｃｏｄｅｒ／Ｄｅｃ
ｏｄｅｒ１０３に入力され、音声情報も圧縮し、ストリームを生成する。具体的には、映
像情報の圧縮と平行して、ＭＰＥＧ−ＡＵＤＩＯやドルビーデジタル、もしくは、無圧縮
のＬＰＣＭのストリームが生成される。本実施形態では、記録媒体がＤＶＤ−ＲＡＭやＤ
ＶＤ−ＲなのでＤＶＤビデオレコーディング規格、もしくは、ＤＶＤビデオ規格に準拠し
てＭＰＥＧ圧縮を行っているが、媒体による規格に準拠していれば、圧縮方法は、限定さ
れない。
【００２１】
生成された映像情報と音声情報のストリームは、マイコン１０４によって、規格に準拠
したパケット化、多重化がおこなわれる。多重化されたプログラムストリーム（以後、Ｐ
Ｓと呼ぶ）は、メモリ１０６に一旦蓄えられ、蓄積量がある閾値をこえたら、メモリ１０
６に蓄積された情報が記録媒体１０７に記録が行われる。なお、通常はメモリ１０６に蓄
積されたＰＳを連続して記録媒体１０７に記録するようにマイコン１０４が制御するが、
間欠的に記録を行うように制御することにより、消費電力を下げることが可能である。
【００２２】
なお、本図では、マイコン１０４が情報記録装置１全体の制御を行うものとして説明し
たが、必要に応じて、機能ごとに複数個のマイコンを用いる構成としてもよい。また、Ｅ
ＥＰＲＯＭ１０５とメモリ１０６とが別個のメモリである構成について説明したが、メモ
リ１０６も、ＥＥＰＲＯＭで構成し、ＥＥＰＲＯＭ１０５とメモリ１０６を１個のＥＥＰ
ＲＯＭとして構成してもよい。この場合、電源を断ったとしても記憶した情報を保持でき
るのであれば、ＥＥＰＲＯＭ以外のメモリに代替可能であることは言うまでもない。
【００２３】
次に、図２を用いて、ユーザが記録媒体１０７を装着した場合に情報記録装置１が行う
処理について説明する。
図２は、情報記録装置１に記録媒体１０７を装着してから記録媒体１０７に情報を記録
できる状態になるまでに行う処理の手順を示すフローチャートである。なお、記録媒体１
０７の装着後であっても電源を断った後に再度電源を投入した場合には、やはり本図のフ
ローチャートに沿って電源投入後の処理を行う。また、図１では、特に記録媒体１０７の
装着機構に関して明記していないが、ユーザが操作部１００から、記録媒体１０７の装着
、脱着が可能な機構が搭載されているものとする。
【００２４】
記録媒体１０７が情報記録装置１に装着されると（ステップＳ２０１）、マイコン１０
４は、記録媒体１０７の状態を確認する為に、記録媒体１０７の認識処理を行う（ステッ
プＳ２０２）。上述のとおり、認識処理とは、ディスクの判別、ファイルシステムのチェ
ック、フォーカス制御、トラッキング制御といったサーボ、いわゆる試し書きによるレー
ザパワーの学習といった記録媒体に情報を記録できる状態にする処理を意味し、この認識
処理に要する時間は、通常では数十秒、短くても数秒である。
【００２５】
次に、マイコン１０４が、認識処理により得られる種々の情報の中から記録媒体１０７
に関する情報を取得する（ステップＳ２０３）。上述のとおり、記録媒体１０７に関する
情報には、(1)記録媒体１０７は記録可能な記録媒体か？(2)記録媒体１０７に書き込み禁
止の設定がなされているか？(3)記録媒体１０７に対して情報の読み書きができる状態か
？(4)記録媒体１０７の記録残量はいくつか？といった情報のうち少なくとも１つが含ま
れる。なお、記録媒体１０７への記録禁止の情報は、記録媒体１０７それ自体に記録され
ている場合もあるし、記録媒体１０７がカートリッジに収納されている場合は、そのカー
トリッジから取得する場合もある。
【００２６】
次に、マイコン１０４は、この取得した記録媒体１０７に関する情報をＥＥＰＲＯＭ１
０５に保持しておく（ステップＳ２０４）。ＥＥＰＲＯＭ１０５は、電源が断たれても記
憶した情報を保持できるので、次回電源を投入した時に、保持された情報をマイコン１０
４が取得することが可能である。
【００２７】
図２に示した処理を行うことで、情報記録装置１は、記録媒体１０７に情報を記録でき
る状態になるので、操作部１００からの指示を待つ待機状態に移行する（ステップＳ２０
５）。その後操作部１００から記録の指示がなされた場合には、上述した手順に従って情
報の記録が行われる。
【００２８】
図３を用いて、ユーザが情報記録装置１の電源を断った場合に、情報記録装置１が行う
処理について説明する。
図３は、情報記録装置１の電源が断たれた場合に、情報記録装置１が行う処理の手順を
示すフローチャートである。
【００２９】
操作部１００により電源を断つ電源ＯＦＦの指示がなされると（ステップＳ３０１）、
実際に電源を断つ前に、まずマイコン１０４が記録媒体１０７に関する情報を取得する（
ステップＳ３０２）。
【００３０】
次に、マイコン１０４は、ステップＳ３０１で取得された記録媒体１０７に関する情報
を、ＥＥＰＲＯＭ１０５に保持させる（ステップＳ３０３）。なお、ステップＳ３０２で
取得された記録媒体１０７に関する情報のうち電源投入時にＥＥＰＲＯＭ１０５に保持さ
れた記録媒体１０７に関する情報に対して変更の必要がある情報については、更新した上
でＥＥＰＲＯＭ１０５に保持される。変更の必要がある情報の一例としては、記録残量に
関する情報である。つまり、電源投入時に記録残量が１００ＭＢあったとしても、情報の
記録により６０ＭＢを使用した場合には、記録残量に関する情報を、１００ＭＢから１０
０−６０＝４０ＭＢに更新しておく必要があるということである。そして、情報記録装置
１の電源を実際に断つ（ステップＳ３０４）。
【００３１】
このように、電源を断つ直前の記録媒体１０７に関する情報を保持しておくことで、次
回電源をＯＮした際、マイコン１０４は、記録媒体１０７に情報の記録ができる状態か否
かを、記録媒体１０７の認識処理の完了前に知ることができる。
【００３２】
情報の記録ができる状態か否かを知るということは重要なことである。例えば、記録媒
体１０７に記録された情報が、その情報を管理する管理情報の破損などの何らかの事情に
よって読み書きできない状態になっていたら、次回電源を投入した際、読み書きできる状
態に修復を行わなければ、記録媒体１０７に情報を記録できる状態にすることができない
。また、記録した容量が、すでにほとんど無い状態であれば、次回電源を投入しても、記
録を行うことはできない。これらの情報を記録媒体１０７の認識処理の完了前に知ること
ができるようにするため、ＥＥＰＲＯＭ１０５に記録媒体１０７に関する情報を保持して
おく。
【００３３】
以下、本発明が適用された情報記録装置１が、電源を投入してから記録媒体１０７に情
報の記録ができる状態になるまでの間の情報であっても記録媒体１０７に記録できること
を説明する。
図４は、電源投入直後にユーザから記録開始命令を受けた場合に、情報記録装置１が行
う処理の手順を示すフローチャートである。なお、以下に示す手順は、記録媒体１０７が
装着されたままで情報記録装置１の電源が断たれた状態にあることが前提である。
【００３４】
まず、電源を投入すると、マイコン１０４は、記録媒体１０７に対して上述の認識処理
を開始する（ステップＳ４０１）。なお、認識処理の手順については、図２に示したとお
りである。一方、認識処理を行っている間に操作部１００から情報の記録開始指示を受け
ると（ステップＳ４０２）、マイコン１０４は、記録媒体１０７に関する情報を、ＥＥＰ
ＲＯＭ１０５から読み出して取得する（ステップＳ４０３）。
【００３５】
次に、ＥＥＰＲＯＭ１０５から取得した(1)記録媒体１０７は記録可能な記録媒体か？(
2)記録媒体１０７に書き込み禁止の設定がなされているか？(3)記録媒体１０７に対して
情報の読み書きができる状態か？(4)記録媒体１０７の記録残量はいくつか？といった情
報のうち少なくとも１つを含む記録媒体１０７に関する情報に基づき、情報記録媒体１０
７に情報の記録ができるか否かをマイコン１０４が判断する（ステップＳ４０４）。上述
のとおり、記録媒体１０７の認識処理の完了を待って情報記録媒体１０７に情報の記録で
きるか否かを判断するには数秒〜数十秒の時間を要するが、ＥＥＰＲＯＭ１０５に保持さ
れた記録媒体１０７に関する情報に基づいて判断することにより、この判断に要する時間
を短縮することができる。
【００３６】
もしステップＳ４０４で情報の記録が可能であれば、上述のとおり、入力部１０１、Ｄ
ＳＰ１０２、Ｅｎｃｏｄｅｒ／Ｄｅｃｏｄｅｒ１０３を介してメモリ１０６に情報を蓄積
し始める（ステップＳ４０５）。一方、ステップＳ４０４で記録不可能であると判断され
た場合は、記録不可能であることをユーザに知らせる為に、その旨の表示を行うようマイ
コン１０４が情報記録装置１を制御する（ステップＳ４０６）。記録操作を無視するよう
に構成しても構わないが、記録不可能である旨の表示をするほうが、ユーザには親切であ
る。表示方法としては、情報記録装置１がビデオカメラである場合には、マイコン１０４
がモニタ画面（図示せず）あるいはファインダー（図示せず）内に記録不可能である旨を
表示させるように構成できる。情報記録装置１がビデオレコーダーである場合には、マイ
コン１０４が記録不可能である旨を情報記録装置１の表示パネル（図示せず）上あるいは
ディスプレイ（図示せず）上に表示させるように構成すればよい。
【００３７】
さらに、別の記録媒体を装着を要求する旨を表示させ、メモリ１０６に情報を蓄積して
おいてもよい。この場合には、別の記録媒体が装着され、その別の記録媒体に対する認識
処理の完了を待ってメモリ１０６に蓄積された情報をその別の記録媒体に記録するように
すればよい。
【００３８】
次に、マイコン１０４は、メモリ１０６に情報の蓄積を開始してから所定時間経過後あ
るいはメモリ１０６への情報の蓄積量が所定量を超えたことを契機に、ステップＳ４０１
で実行している認識処理が終了したか否かを判断する（ステップＳ４０７）。なお、所定
時間及び所定量は、記録媒体１０７の認識処理に要する時間に応じて適宜設定されるもの
である。上述の所定時間は、少なくとも記録媒体１０７の認識処理に要する時間と同じ時
間に設定するのが好ましく、上述の所定量は、少なくとも記録媒体１０７の認識処理に要
する時間に蓄積できる情報量と同量に設定するのが好ましい。また、メモリ１０６の記憶
容量は、上述の所定量以上とすることが好ましい。より具体的には、発明者による実験に
よれば、メモリ１０６への情報の転送速度が３〜６Ｍｂｐｓであり、認識に要する時間が
２０秒程度なので、所定時間を少なくとも２０秒、所定量を少なくとも６Ｍｂｐｓ×２０
ｓ＝１５ＭＢに設定しておけばよく、メモリの記憶容量を１５ＭＢ以上とすればよい。
【００３９】
所定時間及び所定量を上述の値に設定しておけば、通常はステップＳ４０７を実行する
時点で、既に認識処理は完了しているので、通常の記録状態に移行する（ステップＳ４０
８）。すなわち、メモリ１０６に蓄積されている情報を記録媒体１０７に記録していく。
【００４０】
一方、なんらかの事情でメモリ１０６に蓄積可能な情報量に対応する時間以上に認識処
理の時間がかかってしまった場合には、記録を一時停止している間の情報は途切れること
になるが、メモリ１０６に情報を蓄積しきれなくなるので、メモリ１０６への情報の蓄積
を一時的に停止させる（ステップＳ４０９）。そして、認識処理の完了が確認できた時点
で記録を再開すればよい。なお、メモリ１０６への情報の蓄積を一時的に停止させる代わ
りに古い情報の上に新しい情報を上書きするようにメモリ１０６に情報を蓄積するように
してもよい。どちらの方法も実現できるが、ユーザが記録を開始したいと思って記録開始
を指示することを考慮すると、メモリ１０６への情報の蓄積を一時的に停止させるように
しておくほうが好ましい。
【００４１】
以上説明した手順により、電源を投入してから記録媒体に情報の記録ができる状態にな
るまでの間の情報についても記録媒体に記録することができる。この際、記録媒体に情報
を記録できることを確認した上で情報の記録を行うので、情報を記録できない記録媒体に
対して情報の記録を行おうとすることがなくなり、既に記録媒体に記録されている情報を
破損するおそれがない。
【００４２】
なお、ステップＳ４０１における認識処理を、図２に示した認識処理と同様の処理を行
うものとして本実施形態を説明した。しかし、記録媒体１０７に関する情報についてはＥ
ＥＰＲＯＭ１０５に保持されているので、この情報については、記録媒体１０７からでは
なくＥＥＰＲＯＭ１０５から読み出して取得するようにすれば、ステップＳ４０１におけ
る認識処理に要する時間を短縮することができる。これに伴い、上述の所定時間及び所定
量の値を小さく設定でき、メモリ１０６を記憶容量の小さいものに置き換えることができ
る。具体的には、発明者の実験によれば、認識処理に要する時間を、２０秒程度から７〜
８秒程度にまで短縮することができた。従って、所定時間を少なくとも８秒に設定でき、
所定量を６Ｍｂｐｓ×８ｓ＝６ＭＢに設定することができる。メモリ１０６の記憶容量は
、少なくとも６ＭＢとすればよくなる。
【００４３】
また、ステップＳ４０４にて記録媒体１０７に情報が記録できる状態であるか否かを判
断するものとして本実施形態を説明した。しかし、図３のステップＳ３０２において判断
を行い、ステップＳ３０３にて判断結果をＥＥＰＲＯＭ１０５に保持させるようにするこ
ともできる。こうすれば、ステップＳ４０３及びステップＳ４０４に要する時間を短縮す
ることができるので、その分だけ上述の所定時間及び所定量を小さく設定することができ
、メモリ１０６を、記憶容量がさらに小さいものに置き換えることができる。
【図面の簡単な説明】
【００４４】
【図１】図１は、本発明を適用した情報記録装置１のブロック図である。
【図２】図２は、情報記録装置１に記録媒体１０７を装着してから記録媒体１０７に情報を記録できる状態になるまでに行う処理の手順を示すフローチャートである。
【図３】図３は、情報記録装置１の電源が断たれた場合に、情報記録装置１が行う処理の手順を示すフローチャートである。
【図４】図４は、電源投入直後にユーザから記録開始命令を受けた場合に、情報記録装置１が行う処理の手順を示すフローチャートである。
【符号の説明】
【００４５】
１…情報記録装置、１００…操作部、１０２…ＤＳＰ、１０３…Ｅｎｃｏｄｅｒ／Ｄｅ
ｃｏｄｅｒ、１０４…マイコン、１０５…EEPROM、１０６…メモリ、１０７…記録媒体。
【図１】
0004569662.tif 000002
【図２】
0004569662.tif 000003
【図３】
0004569662.tif 000004
【図４】
0004569662.tif 000005